(57)【要約】【課題】２次元に配列された複数の撮像素子を用いて原稿読取を行なう画像読取装置において、原稿サイズ検出の性能を向上させる。【解決手段】画像読取装置は、２次元に配列された複数の画素部を用いて原稿の読取りを行なう。複数の画素部のそれぞれは、原稿を照射する光源部と、原稿からの反射光を検出する光電変換部とを備える。原稿画像の読取りの前に、原稿サイズ検出が実行される。読取部２の複数の画素部の中で、縦横方向それぞれ所定間隔ずつ間をあけた画素部がアクティブ画素１０として発光および撮像状態とされる。出力変動画素と未変動画素の分布から、原稿６のエッジの位置が特定される。原稿のエッジエリアから、該当する領域に最も近い定形用紙サイズが原稿サイズとして選択される。【選択図】図７
2009296229.tif 000002
【特許請求の範囲】
【請求項１】
２次元に配列された複数の画素部を用いて原稿の読取りを行なう画像読取装置であって、
前記複数の画素部のそれぞれは、
前記原稿を照射する光源部と、
前記原稿からの光を検出する光電変換部とを含み、
前記光電変換部で発生した信号電荷を画像データに変換する画像処理部と、
前記複数の画素部の内、特定位置の画素部を撮像状態とし、前記特定位置における前記光電変換部の信号電荷に基づいて、前記特定位置における原稿の有無を検出する検出手段とを備えた、画像読取装置。
【請求項２】
前記検出手段は、複数の特定位置の画素部を撮像状態とし、複数の特定位置での原稿の有無を検出することで、原稿のサイズを検出する、請求項１に記載の画像読取装置。
【請求項３】
前記検出手段で原稿のサイズを粗検出した後、前記複数の特定位置を変えることで再度原稿のサイズを検出する、請求項２に記載の画像読取装置。
【請求項４】
前記検出手段は、前記特定位置の画素部のみを発光状態とする、請求項１から３のいずれかに記載の画像読取装置。
【請求項５】
前記検出手段での検出の後、原稿の画像を読取る際に、原稿が存在する範囲のみの画像情報を読取る、請求項１から４のいずれかに記載の画像読取装置。
【請求項６】
前記検出手段は、前記特定位置の画素部を原稿有無検出用の輝度で発光状態とし、
前記原稿有無検出用の輝度は、原稿の画像を読取る際の輝度よりも低い輝度である、請求項１から５のいずれかに記載の画像読取装置。
【請求項７】
前記検出手段は、前記特定位置の画素部の発光状態を所定のタイミングで変化させ、そのタイミングにあった反射光を検出した画素部のみを原稿を検出した画素部とすることで、原稿範囲を検出する、請求項１から６のいずれかに記載の画像読取装置。
【請求項８】
前記検出手段は、前記画像処理部とは異なる処理部により検出処理を行なう、請求項１から７のいずれかに記載の画像読取装置。
【請求項９】
前記複数の画素部は、各画素部ごとに独立して発光が制御され、
読取対象画素における光源部のみが発光し、読取対象画素の画像信号を取得する、請求項１から８のいずれかに記載の画像読取装置。
【請求項１０】
前記光源部は、エレクトロルミネッセンス素子を含み、画素毎に配置された薄膜トランジスタにより、その発光が制御される、請求項１から９のいずれかに記載の画像読取装置。
【請求項１１】
前記光源部は、白色バックライト光源とカラーフィルタと液晶パネルとを含み、画素毎に配置された薄膜トランジスタにより、その発光が制御される、請求項１から９のいずれかに記載の画像読取装置。
【請求項１２】
２次元に配列された複数の画素部を用いて原稿の読取りを行なう画像読取装置の制御方法であって、
前記複数の画素部のそれぞれは、
前記原稿を照射する光源部と、
前記原稿からの光を検出する光電変換部とを含み、
前記光電変換部で発生した信号電荷を画像データに変換する画像処理ステップと、
前記複数の画素部の内、特定位置の画素部を撮像状態とし、前記特定位置における前記光電変換部の信号電荷に基づいて、前記特定位置における原稿の有無を検出する検出ステップとを備えた、画像読取装置の制御方法。
【請求項１３】
２次元に配列された複数の画素部を用いて原稿の読取りを行なう画像読取装置の制御プログラムであって、
前記複数の画素部のそれぞれは、
前記原稿を照射する光源部と、
前記原稿からの光を検出する光電変換部とを含み、
前記光電変換部で発生した信号電荷を画像データに変換する画像処理ステップと、
前記複数の画素部の内、特定位置の画素部を撮像状態とし、前記特定位置における前記光電変換部の信号電荷に基づいて、前記特定位置における原稿の有無を検出する検出ステップとをコンピュータに実行させる、画像読取装置の制御プログラム。
【発明の詳細な説明】
【技術分野】
【０００１】
この発明は画像読取装置、画像読取装置の制御方法、および画像読取装置の制御プログラムに関し、特に、２次元の画像を読取ることができる画像読取装置、画像読取装置の制御方法、および画像読取装置の制御プログラムに関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機など）には、紙の文書から画像を読取るスキャナ（画像読取装置の一例）が備えられている。
【０００３】
スキャナの構造としては、１次元に配列された複数の撮像素子を機械的に走査させることで、２次元の画像を取得するものが一般的である。また、メカ移動機構の無い２次元の密着型エリアセンサを用いて、省スペース且つ短時間で画像読取りを行なうスキャナが提案されている。このようなスキャナは、縦横に複数の画素を配置することで２次元の読取りを行なうものである。１画素のエリアは、発光エリアと受光エリアとに分割される。発光エリアの素子が発光し、原稿からの反射光を受光エリアの素子（光電変換部）が受光することでその画素における画像データの取得が行なわれる。
【０００４】
このような装置では、機械的な走査が不要であるため、走査に関わる不安定性や耐久劣化、騒音等の問題がなくなると共に、装置の小型化が可能である。従って、これら装置は新たな原稿読取装置として注目されている。
【０００５】
１次元センサの走査を行なうスキャナでは、原稿サイズ検出用のセンサによる検出信号や、１次元センサで読取った検出信号を用いることで、原稿サイズ検出を行なっている。
【０００６】
２次元の密着型エリアセンサを用いたスキャナでは、原稿画像読取用の２次元センサ部で原稿情報を読取り、その情報に基づいて原稿のサイズを判定することが考えられる。
【０００７】
下記特許文献１には、エリアセンサが有する画素に、光源としてのＥＬ（エレクトロルミネッセンス）素子と光電変換素子としてのフォトダイオードとを備えさせ、ＥＬ素子とフォトダイオードの動作をＴＦＴ（薄膜トランジスタ）で制御する密着型エリアセンサが記載されている。
【特許文献１】特開２００１−２９２２７６号公報
【発明の開示】
【発明が解決しようとする課題】
【０００８】
原稿画像読取用の２次元センサで、全面の画像情報を元に原稿サイズ検出を行なう場合、その読取画素数の多さにより、サイズ確定までに時間がかかるという問題がある。例えば、Ａ３原稿の６００ｄｐｉでの読取りであれば７５００万画素、１２００ｄｐｉの読取りであれば３億画素の処理が必要である。また、全画素を発光するためにエネルギーロスが多く、ユーザにまぶしい思いをさせるという問題があった。
【０００９】
この発明はそのような問題点を解決するためになされたものであり、２次元に配列された複数の撮像素子を用いて原稿読取を行なう画像読取装置において、原稿検出の性能を向上させることができる画像読取装置、画像読取装置の制御方法、および画像読取装置の制御プログラムを提供することを目的としている。
【課題を解決するための手段】
【００１０】
上記目的を達成するためこの発明のある局面に従うと、画像読取装置は、２次元に配列された複数の画素部を用いて原稿の読取りを行なう画像読取装置であって、複数の画素部のそれぞれは、原稿を照射する光源部と、原稿からの光を検出する光電変換部とを含み、光電変換部で発生した信号電荷を画像データに変換する画像処理部と、複数の画素部の内、特定位置の画素部を撮像状態とし、特定位置における光電変換部の信号電荷に基づいて、特定位置における原稿の有無を検出する検出手段とを備える。
【００１１】
好ましくは検出手段は、複数の特定位置の画素部を撮像状態とし、複数の特定位置での原稿の有無を検出することで、原稿のサイズを検出する。
【００１２】
好ましくは画像読取装置は、検出手段で原稿のサイズを粗検出した後、複数の特定位置を変えることで再度原稿のサイズを検出する。
【００１３】
好ましくは検出手段は、特定位置の画素部のみを発光状態とする。
【００１４】
好ましくは画像読取装置は、検出手段での検出の後、原稿の画像を読取る際に、原稿が存在する範囲のみの画像情報を読取る。
【００１５】
好ましくは検出手段は、特定位置の画素部を原稿有無検出用の輝度で発光状態とし、原稿有無検出用の輝度は、原稿の画像を読取る際の輝度よりも低い輝度である。
【００１６】
好ましくは検出手段は、特定位置の画素部の発光状態を所定のタイミングで変化させ、そのタイミングにあった反射光を検出した画素部のみを原稿を検出した画素部とすることで、原稿範囲を検出する。
【００１７】
好ましくは検出手段は、画像処理部とは異なる処理部により検出処理を行なう。
【００１８】
好ましくは複数の画素部は、各画素部ごとに独立して発光が制御され、画像読取装置は、読取対象画素における光源部のみが発光し、読取対象画素の画像信号を取得する。
【００１９】
好ましくは光源部は、エレクトロルミネッセンス素子を含み、画素毎に配置された薄膜トランジスタにより、その発光が制御される。
【００２０】
好ましくは光源部は、白色バックライト光源とカラーフィルタと液晶パネルとを含み、画素毎に配置された薄膜トランジスタにより、その発光が制御される。
【００２１】
この発明の他の局面に従うと、２次元に配列された複数の画素部を用いて原稿の読取りを行なう画像読取装置の制御方法において、複数の画素部のそれぞれは、原稿を照射する光源部と、原稿からの光を検出する光電変換部とを含み、画像読取装置の制御方法は、光電変換部で発生した信号電荷を画像データに変換する画像処理ステップと、複数の画素部の内、特定位置の画素部を撮像状態とし、特定位置における光電変換部の信号電荷に基づいて、特定位置における原稿の有無を検出する検出ステップとを備える。
【００２２】
この発明のさらに他の局面に従うと、２次元に配列された複数の画素部を用いて原稿の読取りを行なう画像読取装置の制御プログラムにおいて、複数の画素部のそれぞれは、原稿を照射する光源部と、原稿からの光を検出する光電変換部とを含み、画像読取装置の制御プログラムは、光電変換部で発生した信号電荷を画像データに変換する画像処理ステップと、複数の画素部の内、特定位置の画素部を撮像状態とし、特定位置における光電変換部の信号電荷に基づいて、特定位置における原稿の有無を検出する検出ステップとをコンピュータに実行させる。
【発明の効果】
【００２３】
これらの発明に従うと、２次元に配列された複数の撮像素子を用いて原稿読取を行なう画像読取装置において、原稿検出の性能を向上させることができる画像読取装置、画像読取装置の制御方法、および画像読取装置の制御プログラムを提供することが可能となる。
【発明を実施するための最良の形態】
【００２４】
以下、本発明の実施の形態における、画像読取装置について説明する。画像読取装置は、２次元に配列された複数の撮像素子を供える。画像読取装置は、等倍結像（センサ（撮像素子）自体の解像度と原稿自体の読取解像度とが等しい）の光源切替え方式（光源をＲ（赤）→Ｇ（緑）→Ｂ（青）の順で切替えることによりカラー画像を得る方式）を採用する。すなわち画像読取装置は、原稿の画像情報をエリアタイプのイメージセンサ部で読取り、光電変換、画像処理を行なう密着型２次元画像読取装置である。
【００２５】
画像読取装置は、発光層と、その発光輝度や発光タイミングをコントロールする発光制御部と、載置された原稿の反射光を検出する光電変換層と、光電変換層で発生した信号電荷を画像信号として処理する画像信号制御部とを備える。
【００２６】
撮像素子としてはフォトダイオードが用いられる。１画素は、ＥＬ素子とフォトダイオードと薄膜トランジスタとで構成される。光源はＥＬ素子でなくともよい。
【００２７】
［第１の実施の形態］
【００２８】
図１は、本発明の第１の実施の形態における画像読取装置の外観を示す斜視図である。
【００２９】
図を参照して、画像読取装置１は、２次元に配列された複数の撮像素子を含む読取部２を備える。
【００３０】
図２は、画像読取装置の平面図である。
【００３１】
読取部２は、複数の画素部３で構成される。１つの画素部３は、光源部４とセンサ部５とで構成されている。光源部は、ＲＥＤ光源、ＧＲＥＥＮ光源、およびＢＬＵＥ光源を含む（それぞれを異なるハッチングで示す）。
【００３２】
図３は、読取部２の断面構成の概略を示す図である。
【００３３】
読取部２は、光源／センサ層８を、電源供給および制御用のＩＴＯ（酸化インジウム錫）層７および基板９で挟み込むように構成される。
【００３４】
画像読取時、点灯対象画素の光源／センサ層８の光源部４に電源が供給され、その画素が点灯する。発生した光は、透明のＩＴＯ層７を透過し、ＩＴＯ層７の上面に載置された原稿６に照射される。これにより、原稿の濃度に応じた反射光が発生する。
【００３５】
読取対象画素のセンサ部５は、原稿からの反射光を受光し、光電変換により反射光に応じた電圧を発生させる。各画素で発生した電圧が検出され、画像処理部で原稿の２次元画像が再構成される。
【００３６】
各画素部３の光源部４で、赤色、青色、緑色の３色が順次個別に点灯し、各色の光の点灯時にセンサ部５で発生する電圧を検出することにより、カラー読取りも可能である。
【００３７】
光源の点灯については、読取対象画素に対し、読取対象画素の光源のみ点灯させてもよいし、隣接する画素の光源も点灯させてもよいし、全画素の光源を点灯させてもよい。
【００３８】
図４は、画像読取装置の回路構成を示すブロック図である。
【００３９】
読取部２には、縦横に複数の画素部３が設けられる。列方向駆動回路１２５と、行方向駆動回路１２７とによりＸ，Ｙ方向のどの画素を発光させるか、Ｘ，Ｙ方向のどの画素で画像の読取を行なうか、Ｘ，Ｙ方向のどの画素を発光も読取りも行なわない待機状態とさせるかが制御される。列方向駆動回路１２５および行方向駆動回路１２７は、画素部３の光電変換層で発生した信号電荷を画像信号として処理する画像信号制御部の機能を備える。
【００４０】
各画素部には、薄膜トランジスタが配置され、これにより発光が制御される。
【００４１】
列方向駆動回路１２５および行方向駆動回路１２７のそれぞれは、駆動回路１２３に接続され、ＣＰＵ１２１により駆動される。すなわち外部からの読取命令に従って読取部２は読取動作を開始し、それにより得られた読取りデータはＣＰＵ１２１を介して出力される。
【００４２】
図５は、画像読取装置の信号処理部の機能構成を示すブロック図である。
【００４３】
画像読取装置の信号処理部は、読取部２に電源を供給する電源部１１と、読取部２の制御を行なう制御部１２とを備える。制御部１２は、読取部２のコントロールを行なうコントロール部１３と、原稿サイズ検出部１４と、画像処理部１５とを備える。
【００４４】
通常の原稿読取時に、読取部２で読取られた画像は画像処理部１５で画像データに変換される。原稿サイズ検出時には、読取部２で読取られた画像はコントロール部１３を経由し、原稿サイズ検出部１４に入力される。原稿サイズ検出部１４で原稿サイズ領域が確定される。
【００４５】
画像処理部１５では、シェーディング補正、エッジ強調などの処理が行なわれる。原稿サイズ検出部１４ではこのような処理を行なわないことで、高速に原稿サイズの確定を行なうことができる。
【００４６】
図６は、読取部の原稿サイズ検出状態を説明するための図である。
【００４７】
原稿サイズ検出は、原稿画像の読取りの前に実行される。読取部２の複数の画素部の中で、一部の画素部がアクティブ画素１０として発光および撮像状態とされる。ここでは、アクティブ画素１０は、縦横方向それぞれ所定間隔ずつ間をあけた縦横複数に並ぶ画素部である。アクティブ画素１０の配列は任意でよい。
【００４８】
アクティブ画素１０は、その位置における原稿の有無を検出するのに必要な輝度で発光する。これは、原稿画像の読取り時よりも低い（暗い）輝度である。原稿の有無を検出するだけであれば、原稿画像の読取り時ほどの光量は必要とされないからである。
【００４９】
図７は、原稿サイズを検出する際の処理を説明するための図である。
【００５０】
アクティブ画素１０の各画素部におけるセンサ部５の出力が検出される。出力変動画素と未変動画素の分布から、原稿サイズ検出部１４にて原稿エッジの位置が特定される。
【００５１】
図７の例では、読取部２の最も左上のアクティブ画素１０の座標がＰ（ｘ，ｙ）＝（１，１）とされており、右方向をプラス方向として、ｘ座標をとっている。また、下方向をプラス方向として、ｙ座標をとっている。ユーザから見て手前側が、ｙ軸のプラス方向であり、右側がｘ軸のプラス方向である。
【００５２】
図８は、図７の状態における各アクティブ画素の出力を示す図である。
【００５３】
各アクティブ画素の光源部が発光した状態で原稿が載置されると、原稿の存在が検出された画素ではその出力が変動し、原稿の存在が検出されない画素ではその出力が変動しない。これにより、原稿の有無、および位置とサイズとを検出することができる。
【００５４】
原稿６のエリアが図７に示されるものであるとすると、前後方向では、Ｐ（ｘ，ｍ）とＰ（ｘ，ｍ＋１）のアクティブ画素の間に、左右方向ではＰ（ｎ，ｙ）とＰ（ｎ＋１，ｙ）のアクティブ画素の間に原稿エッジがあることを判定することができる。
【００５５】
原稿サイズ検出部１４は、原稿エッジエリアから、該当する領域に最も近い定形用紙サイズを選択する。すなわち原稿サイズ検出部１４は、予めＡ５、Ａ４、Ａ３、Ｂ４、Ｂ５などの定形用紙サイズをメモリに記憶しておき、アクティブ画素における原稿の有無の検出結果から、最も近いサイズの定型用紙サイズを、読取っている原稿のサイズとする。コントロール部１３は、読取部２においてその定型サイズの読取範囲を指定し、その範囲の画素部のみを用いて画像の読取りを行なう。
【００５６】
図９は、第１の実施の形態における原稿サイズ検出および原稿読取処理を示すフローチャートである。
【００５７】
図を参照してステップＳ１０１において、アクティブ画素を原稿検出状態とし、そのセンサ部の信号電荷の変動を検出する。このとき、アクティブ画素は第１の輝度で点灯している。
【００５８】
ステップＳ１０３において、センサ出力変動画素と未変動画素との分布（図８）から、原稿エッジの位置が特定される。例えば図７および８の例では、前後方向はＰ（ｘ，ｍ）とＰ（ｘ，ｍ＋１）との間に、左右方向はＰ（ｎ，ｙ）とＰ（ｎ＋１，ｙ）との間に原稿エッジがあることを算出する。
【００５９】
ステップＳ１０５において、原稿エッジエリアから、領域に最も近い定形用紙サイズが選択される。
【００６０】
ステップＳ１０７において、定形用紙サイズの領域の原稿画像がセンサにて読取られる。このとき、定形用紙サイズの領域の画素部は第２の輝度で点灯する。第２の輝度は、第１の輝度よりも明るい輝度である。
【００６１】
［第２の実施の形態］
【００６２】
第２の実施の形態における画像読取装置の構成は、第１の実施の形態における画像読取装置のそれと同じであるためここでの説明を繰り返さない。ここでは第２の実施の形態における画像読取装置が第１の実施の形態における画像読取装置と異なる点について説明する。
【００６３】
第２の実施の形態における画像読取装置は、原稿サイズを第１の実施の形態における画像読取装置よりも詳細に検出するための処理手順を実行する。
【００６４】
図１０は、第２の実施の形態における画像読取装置の原稿サイズを検出する際の処理を説明するための図である。
【００６５】
アクティブ画素１０の各画素部におけるセンサ部５の出力が検出される。出力変動画素と未変動画素の分布から、原稿サイズ検出部１４にて原稿エッジの位置が特定される。
【００６６】
原稿６のエリアが図１０に示されるものであるとすると、前後方向では、Ｐ（ｘ，ｍ）とＰ（ｘ，ｍ＋１）のアクティブ画素の間に、左右方向ではＰ（ｎ，ｙ）とＰ（ｎ＋１，ｙ）のアクティブ画素の間に原稿エッジがあることを判定することができる。
【００６７】
その結果から、前後方向はＰ（ｘ，ｍ）とＰ（ｘ，ｍ＋１）の間のＰ（ｘ，ｍ＋（１／２））の位置に、左右方向はＰ（ｎ，ｙ）とＰ（ｎ＋１，ｙ）の間のＰ（ｎ＋（１／２），ｙ）の位置にアクティブ画素を新たに設ける（アクティブ画素の追加）。追加されたアクティブ画素部において、原稿の有無が検出される。これにより、原稿の実際のエッジが、前後方向では、Ｐ（ｘ，ｍ）とＰ（ｘ，ｍ＋１）のアクティブ画素のどちら側に近いか、左右方向ではＰ（ｎ，ｙ）とＰ（ｎ＋１，ｙ）のアクティブ画素のどちら側に近いかを判定することができる。
【００６８】
すなわち、追加されたアクティブ画素で原稿が検出されたのであれば、原稿エッジは、原点Ｐ（１，１）に遠い側のアクティブ画素と追加されたアクティブ画素との間にあり、追加されたアクティブ画素で原稿が検出されないのであれば、原稿エッジは、原点Ｐ（１，１）に近い側のアクティブ画素と追加されたアクティブ画素との間にあることを判定することができる。
【００６９】
この追加されたアクティブ画素と、最初に検出がなされたアクティブ画素との間での原稿のエッジの正確な位置を知るために、この追加されたアクティブ画素と、最初に検出がなされたアクティブ画素との中間の画素が新たなアクティブ画素とされる。このような処理を繰り返すことで、原稿エッジ範囲を限定して行き、正確な原稿のサイズを高速に検出することができる。すなわち、粗検出により原稿のサイズを判定した後、その結果に基づいて詳細なサイズの決定処理が行なわれる。
【００７０】
コントロール部１３は、読取部２において最終的に得られた原稿サイズの読取範囲を指定し、その範囲の画素部のみを用いて画像の読取りを行なう。
【００７１】
図１１は、第２の実施の形態における原稿サイズ検出および原稿読取処理を示すフローチャートである。
【００７２】
図を参照してステップＳ２０１において、最初のアクティブ画素を原稿検出状態とし、そのセンサ部の信号電荷の変動を検出する（この検出は、図７の第１の実施の形態での検出と同様である）。アクティブ画素は第１の輝度で点灯している。
【００７３】
ステップＳ２０３において、センサ出力変動画素と未変動画素との分布（図８）から、原稿エッジの範囲が検出される。例えば図７および８の例では、前後方向はＰ（ｘ，ｍ）とＰ（ｘ，ｍ＋１）の間に、左右方向はＰ（ｎ，ｙ）とＰ（ｎ＋１，ｙ）との間に原稿エッジがあることを算出する。
【００７４】
ステップＳ２０５において、原稿エッジの境界部の画素が新たなアクティブ画素とされる。すなわち図１０に示される例では、前後方向はＰ（ｘ，ｍ）とＰ（ｘ，ｍ＋１）との間のＰ（ｘ，ｍ＋（１／２））の位置に、左右方向はＰ（ｎ，ｙ）とＰ（ｎ＋１，ｙ）との間のＰ（ｎ＋（１／２），ｙ）の位置の画素をアクティブ画素に変更する。
【００７５】
ステップＳ２０７において、ステップＳ２０５で追加されたアクティブ画素のセンサ出力変動分布から、原稿エッジ範囲を再検出する。
【００７６】
ステップＳ２０９で、ステップＳ２０５〜Ｓ２０７と同様の処理を繰返し、原稿エッジ範囲を徐々に狭めることで原稿エリアを特定し、特定された原稿エリアの原稿画像がセンサにて読取られる。このとき、特定された原稿エリアの領域の画素部は第２の輝度で点灯する。第２の輝度は、第１の輝度よりも明るい輝度である。
【００７７】
［第３の実施の形態］
【００７８】
第３の実施の形態における画像読取装置の構成は、第１または第２の実施の形態における画像読取装置のそれと同じであるためここでの説明を繰り返さない。ここでは第３の実施の形態における画像読取装置が第１または第２の実施の形態における画像読取装置と異なる点について説明する。
【００７９】
第３の実施の形態における画像読取装置は、外光による原稿サイズ検出ミスを防ぐための処理を実行する。
【００８０】
図１２は、第３の実施の形態における画像読取装置の原稿サイズ検出時の光源部の発光パターンを示す図である。
【００８１】
第１または第２の実施の形態に示した検出方法で原稿サイズを検出する場合、光源部の発光による反射光をセンサ部が検出することで、そのセンサ部の位置における原稿の有無が判定される。しかしながら、センサ部が外光の変動を誤検出し、正しく原稿サイズが検出されない可能性がある。このような誤検出を防ぐため、本実施の形態では、図１２（Ａ）に示すように、光源側の発光タイミング（発光状態であり、輝度の変化する状態）をＲＧＢでずらすことで、発光シーケンスに特徴を持たせる（変調させる）。そのタイミングにあった反射光が検出された画素部が、原稿を検出した画素部とされる。
【００８２】
すなわち、原稿があるアクティブ画素１０の部分では原稿の色や濃度により検出される波形の形は異なるが、発光シーケンスの特徴を持ったセンサ出力が検出される。原稿がないアクティブ画素１０の部分では、センサ出力が外光の変動で変化した場合でも、発光シーケンスと異なる特徴を持ったセンサ出力が検出される。
【００８３】
すなわち、図１０（Ａ）のアクティブ画素の光源の発光に対し、図１０（Ｂ）に示されるように、白原稿部であっても黒原稿部であっても、原稿がある部分では、光源の発光に応じた信号が出力される。これに対し、原稿がない部分では、光源の発光に応じた信号が出力されない。これにより、アクティブ画素の位置における原稿の有無を正確に判定することが可能となる。
【００８４】
輝度レベルの変化、発光デューティーは、各色で揃えてもよいし、輝度レベルの変化、発光デューティーを各色で変調してもよい。
【００８５】
［実施の形態における効果］
【００８６】
以上の構成により、複数の画素を有する密着型２次元画像読取装置において、載置された原稿の有無およびサイズを検出するため、特定位置の画素を発光・撮像状態にし、その画素の検出信号情報を用いることで、原稿サイズを特定することが可能となる。また、特定位置の画素のみを発光・撮像状態にすることで、エネルギーロスを抑制し、サイズ確定までにかかる時間を短縮し、また、ユーザにまぶしい思いをさせないという効果がある。
【００８７】
また、検出された原稿の範囲のみを撮像することで、不要な画素部での発光や読取りをする必要がなくなり、無駄な電力を削減することができるという効果がある。
【００８８】
また、原稿検出後、原稿検出用に設定された発光・撮像状態の画素（アクティブ画素）の範囲および密度を変更することで、検出した原稿範囲の精度を高めることができる。
【００８９】
また、原稿検出用の光源輝度を原稿画像読取時とは異なり、原稿検出が可能なレベルに変更する（光量を落とす）ことにより、無駄な電力を削減することができるという効果がある。
【００９０】
また、原稿検出用の光源に特定の変調情報を加えることで、原稿の反射光による信号情報と、外光による信号情報（外光により発生する信号電荷）とを区別することが可能となる。
【００９１】
さらに、画像サイズ検出用に、画像データ変換用の画像処理部とは異なる検出信号処理部を設けることで、原稿サイズ検出のための無駄な処理を省くことができ、高速な検出が可能になるという効果がある。
【００９２】
［その他］
【００９３】
なお、画素部の光源としては、エレクトロルミネッセンス素子を用い、画素毎に配置した薄膜トランジスタによりその発光を制御してもよいし、白色バックライト光源とカラーフィルタと液晶パネルを用い、画素毎に配置した薄膜トランジスタによりその発光を制御してもよい。
【００９４】
画像読取装置は、モノクロ／カラーの複写機、プリンタ、ファクシミリ装置やこれらの複合機（ＭＦＰ）などの画像形成装置に設けられてもよい。
【００９５】
上述の実施の形態における処理は、ソフトウエアによって行なっても、ハードウエア回路を用いて行なってもよい。
【００９６】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００９７】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９８】
【図１】本発明の第１の実施の形態における画像読取装置の外観を示す斜視図である。
【図２】画像読取装置の平面図である。
【図３】読取部２の断面構成の概略を示す図である。
【図４】画像読取装置の回路構成を示すブロック図である。
【図５】画像読取装置の信号処理部の機能構成を示すブロック図である。
【図６】読取部の原稿サイズ検出状態を説明するための図である。
【図７】原稿サイズを検出する際の処理を説明するための図である。
【図８】図７の状態における各アクティブ画素の出力を示す図である。
【図９】第１の実施の形態における原稿サイズ検出および原稿読取処理を示すフローチャートである。
【図１０】第２の実施の形態における画像読取装置の原稿サイズを検出する際の処理を説明するための図である。
【図１１】第２の実施の形態における原稿サイズ検出および原稿読取処理を示すフローチャートである。
【図１２】第３の実施の形態における画像読取装置の原稿サイズ検出時の光源部の発光パターンを示す図である。
【符号の説明】
【００９９】
１  ２次元画像読取装置
２  読取部
３  画素部
４  光源部
５  センサ部
６  原稿
７  ＩＴＯ層
８  光源／センサ層
９  基板
１０  アクティブ画素（発光・撮像状態画素）
１１  電源部
１２  制御部
１３  コントロール部
１４  原稿サイズ検出部
１５  画像処理部
【図１】
2009296229.tif 000003
【図２】
2009296229.tif 000004
【図３】
2009296229.tif 000005
【図４】
2009296229.tif 000006
【図５】
2009296229.tif 000007
【図６】
2009296229.tif 000008
【図７】
2009296229.tif 000009
【図８】
2009296229.tif 000010
【図９】
2009296229.tif 000011
【図１０】
2009296229.tif 000012
【図１１】
2009296229.tif 000013
【図１２】
2009296229.tif 000014